(57)【要約】【課題】振動時におけるトレイのがたつきを安価で確実に防止することのできるディスクチェンジャー装置を提供する。【解決手段】ディスク収納部のトレイ２０間に弾性部材４０を１段おきに設けたので、弾性部材４０を設けたトレイ２０間と、弾性部材４０を設けていないトレイ２０間とが交互に配置されることになる。すなわち、各トレイ２０は上下いずれか一方のトレイ２０と弾性部材４０で連結されることになり、一方向にのみ付勢されることになる。これにより、弾性部材４０が引っ張り力を付勢する場合には、隣り合うトレイ２０によってトレイ案内部材５０を挟むことにより各トレイ２０はトレイ案内部材５０によって固定されることになるので、トレイ２０の振動を抑えることができる。また、弾性部材４０が押圧力を付勢する場合には、隣り合うトレイ２０はトレイ案内部材５０に押し付けられるので、トレイ２０の振動を抑えることができる。【選択図】図９
2008016122.tif 000002
【特許請求の範囲】
【請求項１】
ディスクを収納する複数のトレイが積層配置されたディスク収納部と、前記複数のトレイのうち少なくとも１つのトレイを移動するトレイ案内部材とを備えたディスクチェンジャー装置であって、
前記複数のトレイのそれぞれに対して一方向にのみ力を加える位置に弾性部材を有するディスクチェンジャー装置。
【請求項２】
請求項１記載のディスクチェンジャー装置であって、
前記弾性部材を複数有し、複数の前記弾性部材は同じ特性を有するディスクチェンジャー装置。
【請求項３】
請求項１記載のディスクチェンジャー装置であって、
前記弾性部材が前記複数のトレイのそれぞれに対して加える力の方向は前記複数のトレイの積層方向と略並行であるディスクチェンジャー装置。
【請求項４】
請求項１記載のディスクチェンジャー装置であって、
前記弾性部材は、前記複数のトレイのうち少なくとも１つのトレイに対して複数箇所に設けられたディスクチェンジャー装置。
【請求項５】
請求項３記載のディスクチェンジャー装置であって、
前記弾性部材は、前記案内部材の周辺に設けられたディスクチェンジャー装置。
【請求項６】
ディスクを収納する複数のトレイが積層配置されたディスク収納部と、前記複数のトレイのうち少なくとも１つのトレイを移動するトレイ案内部材とを備えたディスクチェンジャー装置であって、
前記複数のトレイのそれぞれに対して一方向にのみ力を加える第１の弾性部材と、前記複数のトレイのそれぞれに対して前記一方向とは反対の他方向にのみ力を加える第２の弾性部材とを有し、前記複数のトレイのうち少なくとも１つのトレイに対して前記第１の弾性部材が力を加える箇所と前記第２の弾性部材が力を加える箇所とが異なるディスクチェンジャー装置。
【請求項７】
請求項６記載のディスクチェンジャー装置であって、
前記第１の弾性部材部材および前記第２の弾性部材を複数有し、複数の前記第１の弾性部材および前記第２の弾性部材は同じ特性を有するディスクチェンジャー装置。
【請求項８】
請求項５記載のディスクチェンジャー装置であって、
前記第１の弾性部材と前記第２の弾性部材とが前記複数のトレイのそれぞれに対して加える力の方向は前記複数のトレイの積層方向と略並行であるディスクチェンジャー装置。
【請求項９】
請求項５記載のディスクチェンジャー装置であって、
前記第１の弾性部材および前記第２の弾性部材は、前記複数のトレイのうち少なくとも１つのトレイに対して複数箇所に設けられているディスクチェンジャー装置。
【請求項１０】
請求項７記載のディスクチェンジャー装置であって、
前記第１の弾性部材および前記第２の弾性部材は、前記案内部材の周辺に設けられたディスクチェンジャー装置。
【発明の詳細な説明】
【技術分野】
【０００１】
本発明は、複数のディスク型記録媒体をそれぞれ個別に載置することが可能なトレイを複数備え、この複数のトレイが積み重ねられた状態に配置される、ディスクチェンジャー装置に関するものである
【背景技術】
【０００２】
従来より、複数枚の光ディスク等のディスクを装置の本体内部に収納しておき、所望のディスクを選択して記録再生する多連奏型のディスク装置が開発されている。
従来のディスクチェンジャー装置として、図１６に示すものが知られている。すなわち、この従来のディスクチェンジャー装置は、２つのトレイ面のそれぞれのディスク載置面近傍にトレイと一体的に設けられ、トレイがハウジング１００内に収納されているときにハウジング１００あるいは隣接トレイ１０３に係合し、かつトレイに担持されたディスクの主面には当接しない複数個の弾性部材１０５を備え、互いに隣接するトレイ１０３同士あるいはトレイ１０３とハウジング１００の衝突による異音の発生を抑制している(例えば、特許文献１参照)。
【特許文献１】特開平７−３７３１５号公報（第３−４頁、第２図、第３図）
【発明の開示】
【発明が解決しようとする課題】
【０００３】
しかしながら、弾性部材を各トレイ間に配置する際に、同種の弾性部材を同じ位置で連続して用いると、中間に位置するトレイは結果的に弾性部材の弾性力が相殺されて浮遊してしまい、振動時にトレイがガタつくことにより、トレイとトレイとが、あるいは、トレイとトレイの周辺にある部品とが衝突して衝突音が発生してしまうことになる。
この衝突音は、ディスクチェンジャー装置などで音楽を再生している状態においては、耳障りな音となり、使用者に不快な思いをさせる可能性がある。
【０００４】
本発明は、従来の問題を解決するためになされたもので、振動時にトレイががたつくことを防止することのできるディスクチェンジャー装置を提供することを目的とする。
【課題を解決するための手段】
【０００５】
本発明のディスクチェンジャー装置は、ディスクを収納する複数のトレイが積層配置されたディスク収納部と、前記複数のトレイのうち少なくとも１つのトレイを移動するトレイ案内部材とを備えたディスクチェンジャー装置であって、前記複数のトレイのそれぞれに対して一方向にのみ力を加える位置に弾性部材を有している。
【０００６】
ここで、積層配置とは、複数のトレイのひとつひとつが、それぞれ積み重ねられた状態あるいは、複数のトレイのひとつひとつが、それぞれ積まれて層をなしている状態であり、積まれたトレイの間にディスクが収容されている。また、案内部材とは、トレイを特定の位置から所望の位置まで移動させるための部材であって、トレイの間にディスクを収容あるいは収容されたディスクをトレイから取り出す際ディスクに傷が付かないようにする場合、または、ディスクに情報を記録するあるいはディスクの情報を再生する際に情報の書込みあるいは読取のための光学ユニットなどが移動させる場合など、トレイ間のスペースを確保するための部材である。
この構成により、弾性部材がトレイに作用する弾性力は他の弾性部材によって相殺されずに済むので、トレイが浮遊して衝突音が発生することを防止することができる。
【０００７】
また、本発明のディスクチェンジャー装置は、ディスクを収納する複数のトレイが積層配置されたディスク収納部と、前記複数のトレイのうち少なくとも１つのトレイを移動するトレイ案内部材とを備えたディスクチェンジャー装置であって、前記複数のトレイのそれぞれに対して一方向にのみ力を加える第１の弾性部材と、前記複数のトレイのそれぞれに対して前記一方向とは反対の他方向にのみ力を加える第２の弾性部材とを有し、前記複数のトレイのうち少なくとも１つのトレイに対して前記第１の弾性部材が力を加える位置と前記第１の弾性部材が力を加える位置とが異なる構成を有している。
【０００８】
この構成により、弾性部材がトレイに作用する弾性力は他の弾性部材によって相殺されずに済み、なおかつ、１つのトレイに対して正反対の力が確実に作用するので、トレイが浮遊して衝突音が発生することを、より確実に防止することができる。
【０００９】
また、本発明のディスクチェンジャー装置は、前記第１の弾性部材部材および前記第２の弾性部材を複数有し、複数の前記第１の弾性部材および前記第２の弾性部材は同じ特性を有している。
【００１０】
ここで、同じ特性とは、同一取付け長さで同一荷重を有するものなどであり、たとえば、弾性性部材を各トレイ間に配置した際に、弾性部材の弾性力が相殺されて中間に位置するトレイが浮遊してしまうような特性を持っているものである。
【００１１】
また、本発明のディスクチェンジャー装置は、前記弾性部材または前記第１の弾性部材および前記第２の弾性部材が前記複数のトレイのそれぞれに対して加える力の方向は前記複数のトレイの積層方向と略並行である構成を有している。
【００１２】
また、本発明のディスクチェンジャー装置は、前記弾性部材または前記第１の弾性部材および前記第２の弾性部材は、前記複数のトレイのうち少なくとも１つのトレイに対して複数箇所に設けられた構成を有している。
【００１３】
また、本発明のディスクチェンジャー装置は、前記弾性部材または前記第１の弾性部材および前記第２の弾性部材が、前記案内部材の周辺に設けられた構成を有している。
【発明の効果】
【００１４】
本発明によれば、弾性部材の弾性力を用いて各トレイをトレイ案内部材に確実に押圧することになるので、振動によってトレイががたついて衝突音が発生することを抑えることができる。
【発明を実施するための最良の形態】
【００１５】
以下、本発明の実施の形態のディスクチェンジャー装置について、図面を用いて説明する。
【００１６】
（実施の形態１）
図１に、本発明の実施形態のディスク装置１０を内蔵するカーオーディオ装置１の全体斜視図を示す。このカーオーディオ装置１では、ディスク装置１０のほかにラジオ２、カセットテープ再生装置３等を内蔵しており、前面パネル４には、全機能に共用される表示部４ａや電源／ボリュームつまみ４ｂに加えて、ディスク装置１０におけるディスク挿脱口１１、ラジオ用のチューニングつまみ２ａ、カセットテープ挿入口３ａ等が設けられている。また、内部には、ラジオ２、カセットテープ再生装置３、ディスク装置１０等を制御する制御部(図示せず)が設けられている。
【００１７】
図２および図３は、カーオーディオ装置１に内蔵されるディスク装置１０の要部上面視図である。ただし、通常、ディスク装置１０の上面全体を覆う上面板が設けられているが、図２および図３は、この天面板をはずした状態で記載されている。
図２は待機時の状態を示し、図３は再生時の状態を示す。すなわち、待機時とは、使用者が再生（または記録）したいディスクをディスク装置１０内へ搬入する際の状態または、ディスク装置１０の内部に収容していたディスクを搬出する際の状態や、さらには、ディスク装置１０の電源がオフである時（例えばディスク装置１０を使用していない時など）の状態を言う。また、再生時の状態とは、ディスク装置１０に収容されているディスクを再生する際の状態をいう。
【００１８】
また、図４はディスクチェンジャー装置１０の再生時における要部断面図であり、一部の部品の記載を省略している。
図２、図３、図４に示すように、本発明の実施形態のディスク装置１０は、ディスク装置として機能させるための複数の機構部品を内部に収容している筐体１３を有している。この筐体１３の内部には複数のディスク１２を収容するディスク収容部として各ディスク１２を個別に保持する複数のトレイ２０が、収容されるディスクの面の垂線方向に積み重なって筐体内に配置された（積層配置された）複数のトレイ２０と、トレイ２０を所定の位置まで移動させる、あるいは任意のトレイ２０とそのトレイ２０に隣接するトレイ２０との間の間隔を広げる（拡開する）ためのトレイ案内部材であるエレベータカムギヤ５０とを備えている。そして、トレイが積み重なる方向（積層方向）に隣接するトレイ２０とトレイ２０とを、あるいはトレイ２０とそのトレイ２０の周辺にあるエレベータカムギヤ５０などの部材とを緩衝させるために、各トレイ２０間に弾性部材としてのスプリング４０を１段おきに設けている（図９参照）。本実施の形態において、弾性部材としてのスプリング４０には巻ばねを用いており、この巻きバネの中空部をエレベータカムギヤ５０が貫通した状態となっている。
【００１９】
以下、本実施の形態の説明においては、図４における矢印Ｚが指す方向を上方向とし、その反対方向を下方向として上下を説明する。さらに、図２における矢印Ｙが指す方向を奥側方向とし、その反対方向を手前方向として説明する。
また、装置上面側から数えて奇数番目のトレイを奇数段のトレイ、装置上面側から数えて偶数番目のトレイを偶数段のトレイとして説明する。
【００２０】
図５は奇数段のトレイおよびスプリングの配置を示す平面図、図６は偶数段のトレイおよびスプリングの配置を示す平面図である。ただし、後述するように、偶数段のトレイ上部にスプリングが配置されていないので、図５中にスプリングは無い。したがって、図５ではエレベータ用貫通穴２５が現れる。また、図６では、エレベータ用貫通穴２５が現れずスプリング４０が現れる。図７（Ａ）はトレイの拡幅部の拡大平面図、図７（Ｂ）は図７（Ａ）中Ｂ−Ｂ位置の断面図、図７（Ｃ）は図７（Ａ）中Ｃ−Ｃ位置の断面図である。なお、奇数段のトレイおよび偶数段のトレイを同時に示す場合にはトレイ２０と表示することとする。
【００２１】
図５および図６に示すように、トレイ２０のそれぞれは、中央部に円形の中空部２１が設けられた全体円盤状の形状をしている。円盤状としているのは、各トレイの剛性を保持するためであり、トレイ２０のそれぞれは閉じた円環状としている。また、それぞれのトレイ２０の一部はトレイの中心部から放射方向の外側に突出して支持部２２を形成している。この支持部２２には軸穴２３ａが設けられており、筐体１３に固定されている軸部２３（図２および図３参照）に軸穴２３ａが貫通した状態で配置されている。すなわち、トレイ２０は、軸部２３により別個に上下移動自在にガイドされることになる。
【００２２】
図５および図６に示すように、トレイ２０のそれぞれの外周縁には複数箇所に拡幅部２４が設けられており、この拡幅部２４にはエレベータ用貫通穴２５が設けられている。そして、このエレベータ用貫通穴２５を上下に貫通する昇降用カム体としてのトレイ昇降用のエレベータカムギヤ５０（図２および図３参照）が設けられている。エレベータカムギヤ５０はこの実施形態においては４個設けられており、最も奥のものをカムギヤ５０Ａと表示し、時計回りに順にカムギヤ５０Ｂ、カムギヤ５０Ｃ、カムギヤ５０Ｄと表示することとする。なお、全てのカムギヤを示す場合には、カムギヤ５０とする。図４においては、カムギヤ５０ｂおよびカムギヤ５０ｄの記載を省略しているが、形状および機能については、カムギヤ５０ａあるいはカムギヤ５０ｃと同じである。
【００２３】
図７に示すように、各トレイ２０のエレベータ用貫通穴２５には、トレイ２０のそれぞれが、カムギヤ５０に設けられているカム溝５４に係合する突片２６が設けられている。
一方で、エレベータカムギヤ５０には図８に示すように、その周面にらせん状にカム溝５４が形成されている。トレイ２０のエレベータ用貫通穴２５に設けられた突片２６は、カム溝５４（図８参照）に挿入されて移動することとなる。
【００２４】
すなわち、突片２６とは、エレベータ用貫通穴２５の中心に向かって突出している部分であって、この部分がカム溝５４に入り込んでいるためにトレイ２０がカム溝５４が設けられているエレベータカムギヤ５０の下方部をすり抜けることなくエレベータカムギヤ５０に位置規制されて保持されており、また、さらに、トレイ２０のそれぞれは、突片２６がカム溝５４に係合した状態でエレベータカムギヤ５０が回転するので、突片２６がカム溝５４に沿って案内されることで上下に移動することとなる。
【００２５】
また、本実施形態においては、突片２６がトレイ２０と一体に形成されておらず、突片２６が設けられ、エレベータ用貫通穴２５の周辺に取付けられる別部材として、突片部材２７が設けられている。そのため、この別部材同士が重なることにより、隣接するトレイ２０間に隙間が生じ、この隙間にディスク１２が収納されることになる。
【００２６】
すなわち、部品単体としてみた場合、トレイ２０は中空部２１以外に、トレイ２０の拡幅部２４にはエレベータ用貫通穴２５が開いているだけのものであり、この貫通穴２５にはめ込み可能なように、リング状のものに突片２６を設けた突片部材２７を個別に準備してトレイ２０のエレベータ用貫通穴２５にそれぞれ装着している。これは、本実施形態のトレイ２０が金属材で形成されており、貫通穴２５や突片２６の寸法や形状の都合上、トレイ２０の突片２６をトレイ２０と一体部品として金型で製造するよりも、別部品を組み合わせて用いる方が製造上容易なためである。
【００２７】
また、突片部材２７はエレベータ用貫通穴２５に嵌め込まれた際にエレベータ用貫通穴２５の周縁にトレイ２０の厚み方向（この場合高さ方向と同じ方向）に若干盛り上がるスペーサ部２８が形成されている。このスペーサ部２８は各トレイの各突片部材２７にそれぞれ設けられているため、隣接するトレイが重なった場合、スペーサ部によりこの隣接する２枚のトレイ間にスペースができ、そのスペースにディスクが収納されることとなる。
【００２８】
図２及び図３に示すように、筐体１３の内部におけるトレイ２０の近傍(図２中の左側)の所定の高さ位置には、先端にディスク１２を保持して回転するターンテーブル３１が設けられた回動アーム３０が、支軸３３を中心として水平面内で回動可能に設けられている。ここで所定の高さ位置とは、ディスク１２の搬入または搬出時において、回動アーム３０が、ディスク１２やディスク装置１０の他の部品と接触しないような高さ位置である。この高さ位置は、ディスク装置１０の動作上の都合や製造上の都合などで回動アーム３０を本実施の形態と異なる位置に待機させてもよく、その場合は、例えば回動アーム３０がディスク１２の挿入及び排出を妨げない高さ位置とするなどとすればよい。
【００２９】
回動アーム３０には、光学ヘッド部３２が支軸３３とターンテーブル３１の中心とを結ぶ方向に沿って往復移動できるようにに設けられている。光学ヘッド部３２の一部が、駆動モータ３５によって回転されるリードスクリュ３６に設けられた溝と係合しているので、リードスクリュ３６が回転することで移動し、回転方向を変えることで往復移動する。
また、挿脱口１１の筐体１３内部側には、上下に対を成す搬送ローラ１４が設けられており、この１対の搬送ローラで挿入されたディスク１２を挟み、図示省略の駆動機構により搬送ローラ１４を回転させることでディスク１２を筐体１３の内部へ搬入する。あるいは、記録再生を終了したディスク１２を筐体１３内部から挿脱口１１を経由してカーオーディオ装置１の外部へ排出する。
【００３０】
図８（Ａ）はエレベータカムギヤの正面図、図８（Ｂ）はカム周面を展開した図である。
図８に示すように、エレベータカムギヤ５０は３つの部分からなる。最上部分は外径が細い軸部５２となっており、この部分は、記録再生動作が行われるディスク１２の高さ位置よりも上側で記録再生動作が行われないディスク１２を待機させる上待機位置Ｔ１に対応する。ここで待機する各トレイ２０は突片２６とカム溝５４との係合が解けている範囲内、すなわち、上は筐体１３の天面から下はカム溝５４の最上部までの間において、スプリング４０の弾性力の影響を受ける以外は上下移動することが自由な状態となっている。そのため、上待機位置Ｔ１で待機しているトレイ２０に対してスプリング４０の弾性力が作用するので、トレイ２０と隣接するトレイ２０との衝突あるいはトレイ２０とその周辺部品との衝突による異音発生などが防止できる。
【００３１】
エレベータカムギヤ５０の下方部の外周面にはトレイ２０の突片２６が係合するカム溝５４が形成され、上部カム部５３ａ及び下部カム部５３ｂを構成する。上部カム部５３ａにおける隣り合うカム溝５４どうしの間隔（ピッチ）は、下部カム部５３ｂのカム溝５４のピッチに比較して粗くなっており、この部分においては、エレベータカムギヤ５０の回転によってトレイ２０は大きく上下移動する。この部分は、回動アーム３０が回動動作する際に回動アーム３０とトレイ２０とが衝突あるいは接触することがないように設けられた作業空間Ｓに対応する位置となっている。また、下部カム部５３ｂのカム溝５４のピッチは、相対的に密であり、この部分は、記録再生するディスク１２よりも下側でディスク１２を待機させる下待機位置Ｔ２に対応する。ただし、カム溝５４のピッチとは図８に示すように、カムギヤ５０を上下方向に立てた状態で側方から見た場合に隣り合うカム溝とカム溝との間隔をいう。
【００３２】
複数本のエレベータカムギヤ５０は、それぞれがエレベータカムギヤ５０のカム溝５４とトレイ２０に複数箇所設けられている拡幅部２４に形成されたエレベータ用貫通穴２５の内側に突出して設けられた突片２６とが係合するように設けられており、図示省略の駆動機構によりエレベータカムギヤ５０の長手方向の中心軸を回転軸として回転駆動される。なお、突片２６が引っ掛かることなく移動できるように、カム溝５４の溝幅は突片２６の厚さ幅よりも広くなっている。ここで、カム溝５４の溝幅とは、突片２６が係合している溝自体の幅であり、カムギヤ５０が回転することによって突片２６（およびトレイ２０）が移動するため、この移動動作をスムーズが行えるように突片２６の厚み幅よりもやや広めに設定している。
【００３３】
また、突片２６が図７（Ｂ）に示すとおり、カム溝５４に係合させるため以外に突片２６自体の強度をあげるような形状となっているので、この形状に合わせるように、溝にはテーパが施してある。
エレベータカムギヤ５０の回転に伴ってディスク１２を載置するトレイ２０が上下移動するとともに、操作者によって記録再生動作を指示されたディスク１２を収容しているトレイ２０の下方の空間を広くして回動アーム３０が隣接する２枚のトレイ間に割り込むスペースを確保するようになっている。
【００３４】
図９はトレイ間に設けられているスプリング４０の配置を示す模式図である。本実施の形態において、ディスク装置１０は６枚のトレイ２０Ａ〜２０Ｆを有している。使用者によって搬入されたディスク１２が各トレイの上面に載せて置かれる（載置される）ようになっているが、最上部にあるトレイ２０Ａ（より詳細にはトレイ２０Ａに設けられたスペーサ部材２７のスペーサ部２８）は筐体１３の天面に接触してトレイ２０Ａが上から２番目のトレイ２０Ｂに載置されているディスク１２の上面（レーベル面）を保護するために用いられているので、１番上のトレイ２０Ａにはディスク１２は載置されることがない。したがって、本実施の形態のディスク装置１０では、５枚のディスク１２を収容することができる。ただし、図９においては、６枚のトレイ２０Ａ〜２０Ｆを有する場合を例示してあるが、トレイ２０の枚数はこれに限るものではない。
【００３５】
図５、図６および図９に示すように、スプリング４０は、奇数段のトレイの下面側（または偶数段のトレイの下）かつ偶数段（または奇数段のトレイの下）のトレイの上面側に設けられている。換言すると、奇数段のトレイと偶数段のトレイとがスプリング４０を介して隣接している状態となっている。すなわち、図９に示すように、奇数段のトレイであり複数のトレイのうち１番上に位置するトレイ２０Ａの下面側と偶数段のトレイであり複数のトレイのうち上から２番目に位置するトレイ２０Ｂの上面との間にスプリング４０Ａが設けられており、同様に、上から３番目に位置するトレイ２０Ｃの下面側と上から４番目に位置するトレイ２０Ｄの上面との間にスプリング４０Ｂ、５番上に位置するトレイ２０Ｅの下面側と上から６番目に位置するトレイ２０Ｆの上面との間にスプリング４０Ｃが設けられている。
また、スプリング４０を装置に設けた状態においては、各スプリング４０Ａ、４０Ｂ、４０Ｃが上下に伸びる方向に弾性力を作用させている。
【００３６】
本実施の形態において、上述したように、上待機位置Ｔ１で待機しているトレイ２０Ａに対してトレイ２０Ａの下面側からスプリング４０Ａの弾性力が作用するが、筐体１３の天面でこの力を規制するので、１番上に位置するトレイ２０Ａの上面側にはスプリングが設けられていない。
また、一番下に位置するトレイ２０Ｆに対してトレイ２０Ｆの上面側からスプリング４０Ｃの弾性力が作用し、かつ、エレベータカムギヤ５０のカム溝５４の最下部で保持されるためトレイ２０Ｆの下面には、トレイ２０Ｆと隣接するトレイ２０Ｅとの衝突あるいはトレイ２０Ｆとその周辺部品との衝突による異音発生などが防止できる。
【００３７】
各トレイに作用する力の関係を以下に説明する。
まず、１番上のトレイ２０Ａのみが待機位置Ｔ１で待機している場合は、トレイ２０Ａの下面側に設けられたスプリング４０Ａによって上に押し上げられる力が作用する。しかしながら、トレイ２０Ａの上面側のさらに上側に筐体１３の天面が存在するため、トレイ２０Ａに設けられたスペーサ部材２７のスペーサ部２８がこれに押し付けられる状態となり、トレイ２０Ａの待機位置が定まる。この状態において、外部からディスクチェンジャー装置１０に振動が加わったり、あるいはディスクチェンジャー装置１０の内部でなんらかの振動が発生したとしても、トレイ２０Ａの下面側に設けられたスプリング４０Ａがその振動を吸収して緩衝作用がはたらき、トレイ２０Ａとトレイ２０Ｂとが衝突することによる衝突音、すなわち、トレイ間の衝突音を防止することができ、また、トレイ２０Ａとトレイ２０Ａの周辺部品との衝突音も防止することができる。
また、待機位置Ｔ１で待機しているトレイが１番上のトレイ２０Ａのみではなく、他のトレイもこの位置で待機している場合については後述する。
【００３８】
１番上のトレイ２０Ａに設けられた突片２６がカムギヤ５０のカム溝５４と係合している状態にある場合は、トレイ２０Ａの下面側に設けられたスプリング４０Ａによってトレイ２０Ａが上に押し上げられる力が作用する。その際、トレイ２０Ａに設けられた突片２６もカム溝５４に係合している状態で上に押し上げられる力が作用するため、この突片２６とカム溝５４のテーパとが接触する状態となり、突片２６およびトレイ２０Ａの位置が規定される。すなわち、トレイ２０Ａに対しては、トレイ２０Ａの上面側にはスプリングが設けてなく、スプリング４０Ａによる力は下面側からのみ作用しており、かつトレイ２０Ａは突片２６が受ける力の影響が及ぶので、トレイ下面側からの力を突片２６とカム溝５４とで規制する。換言すれば、トレイ２０Ａの下側にあるスプリング４０Ａがトレイ２０Ａに弾性力を作用させてトレイ２０Ａに設けられた突片２６をカム溝５４のテーパ部分に押し付けるようにしているので、トレイ２０Ａの位置が規定されることとなる。したがって、この状態において、外部からディスクチェンジャー装置１０に振動が加わったり、あるいはディスクチェンジャー装置１０の内部でなんらかの振動が発生したとしても、トレイ２０Ａの下面側に設けられたスプリング４０Ａがその振動を吸収して緩衝作用がはたらき、トレイ２０Ａとトレイ２０Ｂとが衝突することによる衝突音、すなわち、トレイ間の衝突音を防止することができ、また、トレイ２０Ａとたとえばカムギヤ５０などのトレイ２０Ａの周辺部品との衝突音も防止することができる。
【００３９】
つぎに、２番上のトレイ２０Ｂが、待機位置Ｔ１で待機している場合、これは上述した、待機位置Ｔ１で待機しているトレイが１番上のトレイ２０Ａのみではなく、他のトレイもこの位置で待機している場合の一例にあたる。この場合は、１番上のトレイ２０Ａが筐体１３の天面によって上方への移動を規制されているため、トレイ２０Ｂの上面側に設けられたスプリング４０Ａによってトレイ２０Ｂが下に押し下げられる力が作用する。ここで、待機位置Ｔ１で待機しているトレイが１番上のトレイ２０Ａと上から２番目のトレイ２０Ｂだけである場合、トレイＢに設けられた突片２６とカムギヤ５０のカム溝５４とが係合し始める位置よりも下に移動することがない。すなわち、トレイ２０Ｂに対しては、トレイ２０Ｂの下面側にはスプリングが設けられてなく、スプリング４０による力はトレイ２０Ｂの上面側からのみ作用しており、かつトレイ２０Ｂは突片２６が受ける力の影響が及ぶので、トレイ上面側からの力を突片２６とカム溝５４とで規制する。換言すれば、トレイ２０Ｂの上側にあるスプリング４０Ａがトレイ２０Ｂに弾性力を作用させてトレイ２０Ｂに設けられた突片２６をカム溝５４のテーパ部分に押し付けるようにしているので、トレイ２０Ｂの位置が規定されることとなる。この状態において、外部からディスクチェンジャー装置１０に振動が加わったり、あるいはディスクチェンジャー装置１０の内部でなんらかの振動が発生したとしても、トレイ２０Ａの下面側に設けられたスプリング４０Ａがその振動を吸収して緩衝作用がはたらき、トレイ２０Ａとトレイ２０Ｂとが衝突することによる衝突音、すなわち、トレイ間の衝突音を防止することができ、また、トレイ２０Ａとトレイ２０Ａの周辺部品との衝突音も防止することができる。
また、待機位置Ｔ１で待機しているトレイが１番上のトレイ２０Ａおよび２番目のトレイ２０Ｂのみではなく、他のトレイもこの位置で待機している場合については後述する。
【００４０】
そして、２番目のトレイ２０Ｂに設けられた突片２６がカムギヤ５０のカム溝５４と係合し始めた位置より下に位置する状態では、トレイ２０Ｂの上面側に設けられたスプリング４０Ａによってトレイ２０Ｂが下に押し下げられる力が作用する。この場合、トレイ２０Ａは前述のように上方向の位置が規制されている。その際、トレイ２０Ｂに設けられた突片２６もカム溝５４に係合している状態で下に押し上げられる力が作用するため、この突片２６とカム溝５４のテーパとが接触する状態となり、突片２６およびトレイ２０Ｂの位置が規定される。すなわち、トレイ２０Ｂに対しては、トレイ２０Ｂの下面側にはスプリングが設けてなく、スプリング４０による力は上面側からのみ作用しており、かつトレイ２０Ｂは突片２６が受ける力の影響が及ぶので、トレイ２０Ｂの下面側からの力を突片２６とカム溝５４とで規制する。換言すれば、トレイ２０Ｂの上側にあるスプリングがトレイ２０Ｂに弾性力を作用させてトレイ２０Ｂに設けられた突片２６をカム溝５４のテーパ部分に押し付けるようにしているので、トレイ２０Ｂの位置が規定されることとなる。したがって、この状態において、外部からディスクチェンジャー装置１０に振動が加わったり、あるいはディスクチェンジャー装置１０の内部でなんらかの振動が発生したとしても、トレイ２０Ｂの上面側に設けられたスプリング４０Ａがその振動を吸収する緩衝作用がはたらき、トレイ間の衝突音を防止することができる、また、トレイ２０Ｂとたとえばカムギヤ５０などのトレイ２０Ｂの周辺部品との衝突音も防止することができる。
【００４１】
さらに、上から３番目のトレイ２０Ｃが、待機位置Ｔ１で待機している場合、これは、上述した、待機位置Ｔ１で待機しているトレイが１番上のトレイ２０Ａおよび２番目のトレイ２０Ｂのみではなく、他のトレイもこの位置で待機している場合の一例にあたる。この場合、３番目のトレイ２０Ｃは２番目のトレイ２０Ｂによって上方への移動を規制されている。また、トレイ２０Ｃは、トレイ２０Ｃの下面側に設けられたスプリング４０Ｂによって上に押し上げられる力が作用する。ここで、待機位置Ｔ１で待機しているトレイが１番上のトレイ２０Ａと上から２番目のトレイ２０Ｂと上から３番目のトレイ２０Ｃだけである場合、トレイＢに設けられた突片２６とカムギヤ５０のカム溝５４とが係合し始める位置よりも下に移動することがない。すなわち、トレイ２０Ｃに対しては、トレイ２０Ｃの上面側にはスプリングが設けられてなく、スプリング４０Ｂによる力はトレイ２０Ｃの下面側からのみ作用しており、かつトレイ２０Ｃは突片２６が受ける力の影響が及ぶので、トレイ上面側からの力を突片２６とカム溝５４とで規制する。換言すれば、トレイ２０Ｃの下側にあるスプリング４０Ｂがトレイ２０Ｃに弾性力を作用させてトレイ２０Ｂの下面に押し付けるようにしているので、トレイ２０Ｃの位置が規定されることとなる。トレイ２０Ｃにディスク１２が載置されている場合は、トレイ２０Ｃから上方に向かって、トレイ２０Ｃに載置されたディスク１２、トレイ２０Ｂの順にそれぞれが積み重なった状態となり、トレイ２０Ｂの上面側に設けられたスプリング４０Ａが下に向けて弾性力を作用する。この状態ではトレイ２０Ｂの上面側に設けられたスプリング４０Ａが上に向けても弾性力を作用するが、トレイ２０Ｂの上には１番上のトレイ２０Ａが待機しており、このトレイ２０Ａは筐体１３の天面によってそれより上に移動することがなく位置が規制されることとなる。したがって、この状態において、外部からディスクチェンジャー装置１０に振動が加わったり、あるいはディスクチェンジャー装置１０の内部でなんらかの振動が発生したとしても、スプリング４０Ａがその振動を吸収して緩衝作用がはたらき、トレイ間の衝突音を防止することができ、また、待機位置Ｔ１で待機しているトレイとトレイの周辺部品との衝突音も防止することができる。
【００４２】
３番目のトレイ２０Ｃに設けられた突片２６がカムギヤ５０のカム溝５４と係合し始めた位置より下に位置する状態では、トレイ２０Ｃの下面側に設けられたスプリング４０Ｂによってトレイ２０Ｃが上に押し上げられる力が作用する。その際、トレイ２０Ｃに設けられた突片２６もカム溝５４に係合している状態で上に押し上げられる力が作用するため、この突片２６とカム溝５４のテーパとが接触する状態となり、突片２６およびトレイ２０Ｃの位置が規定される。すなわち、トレイ２０Ｃに対しては、トレイ２０Ｃの上面側にはスプリングが設けられてなく、スプリング４０Ｂによる力は下面側からのみ作用しており、かつトレイ２０Ｃは突片２６が受ける力の影響が及ぶので、トレイ下面側からの力を突片２６とカム溝５４とで規制する、換言すれば、トレイ２０Ｃの下側にあるスプリング４０Ｂがトレイ２０Ｃに弾性力を作用させてトレイ２０Ｃに設けられた突片２６をカム溝５４のテーパ部分に押し付けるようにしているので、トレイ２０Ｃの位置が規定されることとなる。したがって、この状態において、外部からディスクチェンジャー装置１０に振動が加わったり、あるいはディスクチェンジャー装置１０の内部でなんらかの振動が発生したとしても、トレイ２０Ｃの下面側に設けられたスプリング４０４０Ｂがその振動を吸収する緩衝作用がはたらき、トレイ間の衝突音を防止することができる、また、トレイ２０Ｃとたとえばカムギヤ５０などのトレイ２０Ｃの周辺部品との衝突音も防止することができる。
【００４３】
上から４番目のトレイ２０Ｄ、上から５番目のトレイ２０Ｅについても、同様にスプリング４０Ｂ、４０Ｃが作用するので、外部からディスクチェンジャー装置１０に振動が加わったり、あるいはディスクチェンジャー装置１０の内部でなんらかの振動が発生したとしても、同様に振動を吸収する緩衝作用がはたらき、トレイ間の衝突音を防止することができる、また、トレイ２０とたとえばカムギヤ５０などのトレイ２０の周辺部品との衝突音も防止することができる。
【００４４】
図９に示すような本実施の形態のように、ディスク装置１０がトレイ２０を偶数枚有しているである場合は、１番下に位置するトレイ２０Ｆについても上述の説明と同様にスプリング４０Ｃが作用する。ただし、ディスク装置１０が奇数枚のトレイ２０を有する必要がある場合は、１番下のトレイの下面側にスプリングの一端側を設け、このスプリングの他端側を筐体１３の底面に固定するようにしても良い。その場合、スプリングが１番下のトレイを押し上げるように弾性力を作用させて、一番下のトレイに設けられた突片をカム溝に押し付けることで位置が規制され衝突音を防ぐことができる。
【００４５】
また、本実施の形態において、スプリング４０が複数のトレイに対して加える力の方向は垂直方向、すなわち、トレイ２０のトレイの積層方向と平行である。このように、一つのトレイ２０が隣接する他のトレイ２０に対して相対的に移動する方向にスプリング４０の弾性力が作用する構成としたため、特にトレイ間の衝突音を防止するのに有効である。
【００４６】
また、本実施の形態において、スプリング４０が１つのトレイに対して複数箇所に設けられている。すなわち、本実施の形態においては、４つのカムギヤ５０に設けられたカム溝５４と、トレイ２０のそれぞれに４つ設けられた突片２６とでトレイ２０を移動させているが、この場合、この４つのカムギヤ５０のそれぞれに対して衝突音を発生する可能性がある。そのため、この４つのカムギヤのが設けられた４箇所に均等にスプリング４０による弾性力が作用するのが好ましい。これにより、確実にカムギヤ５０によってトレイ２０の移動動作を行えるとともに、確実にそれぞれのカムギヤ５０に対する衝突音防止が実現できるものである。
【００４７】
また、本実施の形態において、スプリング４０はカムギヤ５０の周辺に設けられている。通常、カムギヤ５０のカム溝５４とトレイ２０に設けられた突片２６との間には、スムーズなトレイの移動動作を行うために若干の隙間（クリアランス）を設ける必要があるが、このクリアランスが存在するために振動による衝突音が発生することが多々ある。そのため、衝突音の発生源周辺にスプリング４０を設けて緩衝させることで、確実に衝突音の発生を防止することができる。
【００４８】
特に本実施の形態においては、スプリング４０としてカムギヤ５０を貫通させるような巻ばねを用いているため、簡単な構成で必要以上に設置場所を大きく設ける必要がなく、装置の小型化が可能となる。さらに、装置を組み立てる際も巻ばねをカムギヤ５０に挿通させるだけで済むので、装置を容易に組み立てられる。
【００４９】
このようにスプリング４０を１段おきに設けることにより、スプリング４０によって連結されているトレイ４０間に、常に、例えば引張力を付勢することができる。このため、各トレイ２０の突片２６をエレベータカムギヤ５０のカム溝５４の上面あるいは下面に押し付けることができるので、突片２６の厚さよりも幅が広いカム溝５４において突片２６ががたつくのを防止することができる。これにより、各トレイ２０の振動を防止することができるようになっている。
【００５０】
なお、各スプリング４０は、それぞれの特性が同じものを用いている。ここで、同じ特性とは、同一取付け長さで同一荷重を有するものなどであり、たとえば、スプリング（弾性性部材）を各トレイ間に配置した際に、弾性部材の弾性力が相殺されて中間に位置するトレイが浮遊してしまうような特性を持っているものである。これにより、ディスクチェンジャー装置１０の製造に用いる部品の種類を１種類とすることができ、コストダウンを図ることができるとともに、これにより、ディスクチェンジャー装置１０の製造時には、同じ特性のスプリング４０のみを準備しておけばよいので、取付けるスプリング４０の種類を間違えてスプリング４０を取り付けること自体がなくなる。
また、上記実施の形態において、ディスクの再生動作は、ディスク２０への記録動作であってもよい。
【００５１】
（実施の形態２）
本発明の実施の形態２は、上述した実施の形態１において、スプリングを設ける位置が異なるだけで、その他の部分は実施の形態１と同様であるため、実施の形態１と同じ箇所は実施の形態１と同じ符号を用いて説明し、さらに、実施の形態１と異なる点を中心に以下の説明を行う。
【００５２】
すなわち、本実施の形態におけるディスク装置１０は、図１に示されたカーオーディオ装置に内蔵することができる。また、本実施形態において、カーオーディオ装置１に内蔵されるディスク装置１０の要部上面視図は、図１０および図１１に示すとおりであり、それぞれ図２および図３に記載された内容に対して、スプリング４０が設けられた位置が異なるだけである。また、実施の形態１同様に、通常ディスク装置１０の上面全体を覆う上面板が設けられているが、図２および図３は、この天面板をはずした状態で記載されている。さらに、図１２はディスクチェンジャー装置１０の再生時における要部断面図である。
【００５３】
以下、本実施の形態の説明においては、図１２における矢印Ｚが指す方向を上方向とし、その反対方向を下方向として上下を説明する。さらに、図２における矢印Ｙが指す方向を奥側方向とし、その反対方向を手前方向として説明する。
また、装置上面側から数えて奇数番目のトレイを奇数段のトレイ、装置上面側から数えて偶数番目のトレイを偶数段のトレイとして説明し、奇数段のトレイ２０Ａ、２０Ｃ、…および偶数段のトレイ２０Ｂ、２０Ｄ、…を同時に示す場合にはトレイ２０と表示することとする。
【００５４】
図１３は１番上のトレイ２０Ａを除く奇数段のトレイ２０Ｃ、２０Ｅを示す平面図、図１４は偶数段のトレイ２０Ｂ、２０Ｄ、２０Ｆを示す平面図を示す。
図１３および図１４に示すように、トレイ２０のそれぞれの形状およびトレイ２０のガイド機構、トレイ２０を移動させるための構造、ディスクを再生させる構造などは実施の形態１と同様である。
【００５５】
図１０および図１１に示すように、エレベータカムギヤ５０はこの実施形態においても４個設けられており、最も奥のものをカムギヤ５０ａと示し、時計回りに順にカムギヤ５０ｂ、カムギヤ５０ｃ、カムギヤ５０ｄとする。なお、全てのカムギヤあるいは不特定のカムギヤを示す場合には、カムギヤ５０とする。図１２においても、カムギヤ５０ｂおよびカムギヤ５０ｄの記載を省略しているが、形状および機能については、カムギヤ５０ａあるいはカムギヤ５０ｃと同じである。さらに、カムギヤ５０ａのカム溝をカム溝５４ａとし、カムギヤ５０ｂ、５０ｃ、５０ｄのカム溝をそれぞれ同様に、５４ｂ、５４ｃ、５４ｄとするとともに、全てのカム溝あるいは不特定のカム溝を示す場合には、カム溝５４とする。そして、各カム溝に係合する突片２６については、カム溝５４ａに対応するものを２６ａ同様にカム溝５４ｂ、５４ｃ、５４ｄに対応するものをそれぞれ２６ｂ、２６ｃ、２６ｄと示す。したがって、トレイ２０Ａからトレイ２０Ｇのそれぞれについて、突片２６ａ、２６ｂ、２６ｃ、２６ｄが設けられていることになる。
【００５６】
図１５はトレイ間に設けられているスプリング４０の配置を示す模式図である。また、図１５に示すとおり、本実施の形態において、ディスク装置１０は７枚のトレイ２０Ａ〜２０Ｇを有している。
【００５７】
また、図１５の左側に位置する高さ方向に並行な一直線上に並んだスプリング４０が、図１０および図１１におけるエレベータカムギヤ５０Ａの周辺に位置するものとし、これら一直線上に並んだ複数のスプリングをスプリング群ａと呼ぶことにする。同様に、時計回りにスプリング群ｂ、ｃ、ｄと呼ぶこととする。
さらに、各トレイ２０に対して、高さ方向上向きに弾性力を作用させるスプリングを第１のスプリングと呼び、各トレイ２０に対して、高さ方向下向きに弾性力を作用させるスプリングを第２のスプリングと呼ぶこととする。
また、スプリング４０を装置に設けた状態においては、各スプリング４０が上下に伸びる方向に弾性力を作用させている。
【００５８】
そして、１番上のトレイ２０Ａと上から２番目のトレイ２０Ｂとの間を第１のトレイ間と呼び、上から２番目のトレイ２０Ｂと上から３番目のトレイ２０Ｃとの間を第２のトレイ間、それよりも下にあるものを上から順に第３のトレイ間、第４のトレイ間、第５のトレイ間、第６のトレイ間と呼ぶ。また、第１、第３、第５のトレイ間を奇数番目のトレイ間と呼び、第２、第４、第６のトレイ間を偶数番目のトレイ間と呼ぶ場合もある。
【００５９】
使用者によって搬入されたディスク１２が各トレイ２０の上面に載せて置かれる（載置される）ようになっているが、最上部にあるトレイ２０Ａ（より詳細にはトレイ２０Ａに設けられたスペーサ部材２７のスペーサ部２８）は筐体１３の天面に接触してトレイ２０Ａが上から２番目のトレイ２０Ｂに載置されているディスク１２の上面（レーベル面）を保護するために用いられているので、１番上のトレイ２０Ａの上面側にはディスク１２は載置されることがない。すなわち、ディスク１２は各トレイ間に収容されることになる。したがって、本実施の形態のディスク装置１０では、６枚のディスク１２を収容することができる。ただし、図１５においては、７枚のトレイ２０Ａ〜２０Ｇを有する場合を例示してあるが、トレイ２０の枚数はこれに限るものではない。
【００６０】
図１３、図１４および図１５に示すように、スプリング４０は、スプリング群ａおよびスプリング群ｃが奇数番目のトレイ間に設けられ、スプリング群ｂおよびスプリング群ｄが偶数番目のトレイ間に設けられている。
【００６１】
これは、１枚のトレイ２０に着目してみると、１番下のトレイ２０Ｇを除く奇数段目のトレイ２０に対して、スプリング群ａおよびスプリング群ｃの各スプリングが、それぞれ上向きに弾性力を作用する第１のスプリングとして機能している。さらに、１番上のトレイ２０Ａを除く奇数段目のトレイ２０に対しては、スプリング群ｂおよびスプリング群ｄの各スプリング２０が、それぞれ下向きに弾性力を作用する第２のスプリングとして機能している。なおかつ、偶数番目のトレイに対して、スプリング群ｂおよびスプリング群ｄの各スプリングが、それぞれ上向きに弾性力を作用する第１のスプリングとして機能していて、さらに、偶数番目のトレイに対して、スプリング群ａおよびスプリング群ｃの各スプリング２０が、それぞれ下向きに弾性力を作用する第２のスプリングとして機能している。
【００６２】
すなわち、１番上のトレイ２０Ａと１番下のトレイ２０Ｇを除く全トレイ２０のうちの１枚のトレイに着目した場合、一枚のトレイに対して上方向である一方向にのみ力を加える第１の弾性部材である第１のスプリングと、下方向である上記一方向とは反対の他方向にのみ力を加える第２の弾性部材である第２のスプリングとが１枚のトレイに作用しており、なおかつ、スプリング群ａ（またはスプリング群ｃ）とスプリング群ｂ（またはスプリング群ｄ）とが設けられて各スプリングがトレイに対して弾性力を作用させている場所は、それぞれトレイ上で異なる箇所となっている。
【００６３】
また、本実施の形態において、筐体１３の天面でこの力を規制するので、１番上に位置するトレイ２０Ａの上面側にはスプリングが設けられていない。
また、一番下に位置するトレイ２０Ｇに対してトレイ２０Ｇの上面側からスプリング４０Ｆｂ、４０Ｆｄの弾性力が作用し、かつ、エレベータカムギヤ５０のカム溝５４の最下部で保持される。
【００６４】
以下に、各トレイに作用する力の関係を説明する。
まず、１番上のトレイ２０Ａのみが待機位置Ｔ１で待機している場合は、スプリング群ａおよびスプリング群ｃのスプリングのうち、トレイ２０Ａの下面側に設けられたスプリング４０Ａａおよび４０Ａｃによって上に押し上げられる力が作用する。しかしながら、トレイ２０Ａの上面側のさらに上側に筐体１３の天面が存在するため、トレイ２０Ａに設けられたスペーサ部材２７のスペーサ部２８がこれに押し付けられる状態となり、トレイ２０Ａの待機位置が定まる。この状態において、外部からディスクチェンジャー装置１０に振動が加わったり、あるいはディスクチェンジャー装置１０の内部でなんらかの振動が発生したとしてもトレイ２０Ａの下面側に設けられたスプリング群ａおよびスプリング群ｃのスプリング４０Ａａおよび４０Ａｃがその振動を吸収して緩衝作用がはたらき、トレイ２０Ａとトレイ２０Ｂとが衝突することによる衝突音、すなわち、トレイどうしの衝突音を防止することができ、また、トレイ２０Ａとトレイ２０Ａ周辺部品との衝突音も防止することができる。
また、待機位置Ｔ１で待機しているトレイが１番上のトレイ２０Ａのみではなく、他のトレイ２０もこの位置で待機している場合については後述する。
【００６５】
１番上のトレイ２０Ａに設けられたスペーサ部材２７の突片２６がカムギヤ５０のカム溝５４と係合している状態にある場合は、トレイ２０Ａの下面側に設けられたスプリング群ａおよびスプリング群ｃのスプリング４０Ａａ、４０Ａｃによってトレイ２０Ａが上に押し上げられる力が作用する。その際、トレイ２０Ａに設けられた突片２６ａ、２６ｃもカム溝５４ａ、５４ｃに係合している状態で上に押し上げられる力が作用するため、この突片２６ａ、２６ｃとカム溝５４ａ、５４ｃのテーパとが接触する状態となり、突片２６ａ、２６ｃおよびトレイ２０Ａの位置が規定される。すなわち、トレイ２０Ａに対しては、トレイ２０Ａの上面側にはスプリングが設けられてなく、スプリングによる力はトレイ２０Ａの下面側からのみ作用しており、かつトレイ２０Ａは突片２６ａ、２６ｃが受ける力の影響が及ぶので、トレイ下面側からの力を突片２６ａ、２６ｃとカム溝５４ａ、５４ｃとで規制する。換言すれば、トレイ２０Ａの下側にあるスプリング群ａおよびスプリング群ｃのスプリング４０Ａａ、４０Ａｃが第１のスプリングとしてトレイ２０Ａに弾性力を作用させてトレイ２０Ａに設けられた突片２６ａをカム溝５４ａのテーパ部分に押し付けるようにしているので、トレイ２０Ａの位置が規定されることとなる。したがって、この状態において、外部からディスクチェンジャー装置１０に振動が加わったり、あるいはディスクチェンジャー装置１０の内部でなんらかの振動が発生したとしても、トレイ２０Ａの下面側に設けられたスプリング群ａおよびスプリング群ｃのスプリング４０Ａａ、４０Ａｃがその振動を吸収して緩衝作用がはたらき、トレイ２０Ａとトレイ２０Ｂとが衝突することによる衝突音、すなわち、トレイ間の衝突音を防止することができ、また、トレイ２０Ａとたとえばカムギヤ５０などのトレイ２０Ａの周辺部品との衝突音も防止することができる。
【００６６】
つぎに、２番上のトレイ２０Ｂが、待機位置Ｔ１で待機している場合、これは上述した、待機位置Ｔ１で待機しているトレイが１番上のトレイ２０Ａのみではなく、他のトレイ２０もこの位置で待機している場合の一例にあたる。
この場合は、１番上のトレイ２０Ａが筐体１３の天面によって上方への移動を規制されているため、スプリング群ａおよびスプリング群ｃのうちトレイ２０Ｂの上面側に設けられたスプリング４０Ａａ、４０Ａｃがトレイ２０Ｂに対して第２のスプリングとして機能することによってトレイ２０Ｂが下に押し下げられる力が作用する。ここで、待機位置Ｔ１で待機しているトレイが１番上のトレイ２０Ａと上から２番目のトレイ２０Ｂだけである場合、トレイ２０Ｂに設けられた突片２６ｂ、２６ｄとカムギヤ５０ｂ、５０ｄのカム溝５４ｂ、５４ｄとが係合し始める位置よりも下に移動することがない。すなわち、トレイＢのエレベータカムギヤ５０ａ、５０ｃ周辺では、トレイＢに対するスプリング群ａおよびスプリング群ｃのスプリング４０Ａａ、４０Ａｃによる力はトレイ２０Ｂの上面側からのみ作用しており、かつトレイ２０Ｂには突片２６ａ、２６ｃが受ける力の影響が及ぶので、トレイ上面側からの力を突片２６ａ、２６ｃとカム溝５４ａ、５４ｃとで規制する。
【００６７】
さらに、スプリング群ｂおよびスプリング群ｄのうちトレイＢの下面側に設けられたスプリング４０Ｂｂ、４０Ｂｄがトレイ２０Ｂに対して第１のスプリングとして機能することによってエレベータカムギヤ５０ｂおよびエレベータカムギヤ５０ｄの周辺を上向きに押し上げる力が作用する。しかしながら、トレイ２０Ｂはスプリングと１番上のトレイ２０Ａとを介して、より詳細には、それぞれのスペーサ部材２７をも介して、筐体１３の天面に接触して上方向の位置を規制されることとなる。
【００６８】
換言すれば、トレイ２０Ｂのエレベータカムギヤ５０ａ、５０ｃ周辺ではトレイ２０Ｂを下向きの弾性力で押し下げるように、かつ、エレベータカムギヤ５０ｂ、５０ｄ周辺ではトレイ２０Ｂを上向きの力で押し上げるようにスプリング４０Ｂｂ、４０Ｂｄを用いて弾性力を作用させており、かつ、それぞれのスプリング４０はトレイ２０Ｂを介した反対側の面にスプリング４０Ｂｂ。４０Ｂｄの弾性力を相殺するスプリングが存在しないので、トレイ２０Ｂの位置が規定されることとなる。この状態において、外部からディスクチェンジャー装置１０に振動が加わったり、あるいはディスクチェンジャー装置１０の内部でなんらかの振動が発生したとしても、トレイ２０Ｂの周辺設けられたスプリング４０がその振動を吸収して緩衝作用がはたらき、トレイ２０Ａとトレイ２０Ｂとが衝突することによる衝突音、すなわち、トレイ同士の衝突音を防止することができ、また、トレイ２０Ｂとトレイ２０Ｂの周辺部品との衝突音も防止することができる。
また、待機位置Ｔ１で待機しているトレイが１番上のトレイ２０Ａおよび２番目のトレイ２０Ｂのみではなく、他のトレイ２０もこの位置で待機している場合については後述する。
【００６９】
そして、２番目のトレイ２０Ｂに設けられた突片２６がカムギヤ５０のカム溝５４と係合し始めた位置より下に位置する状態では、トレイＢのエレベータカムギヤ５０ａおよび５０ｃ付近では、トレイ２０Ｂの上面側に設けられたスプリング群ａ、スプリング群ｃのスプリング４０Ａａ、４０Ａｃが第２のスプリングとして機能するによってトレイ２０Ｂが下に押し下げられる力が作用するとともに、トレイＢのエレベータカムギヤ５０ｂおよび５０ｄ付近では、トレイ２０Ｂの下面側に設けられたスプリング群ｂ、スプリング群ｄのスプリング４０Ｂｂ、４０Ｂｄが第１のスプリングとして機能することによってトレイ２０Ｂが上に押し上げられる力が作用する。ここで、各スプリング４０によって弾性力が作用される箇所はそれぞれエレベータカムギヤ５０ａ、５０ｂ、５０ｃ、５０ｄの周辺であって、十分にそれぞれが設けられている距離が離れているので、たとえばこれらのスプリング４０Ａａ、４０Ａｃ、４０Ｂｂ、４０Ｂｄを同じ特性にしても、その弾性力が相殺されることはない。
ここで、同じ特性とは、同一取付け長さで同一荷重を有するものなどであり、たとえば、弾性性部材を各トレイ間に配置した際に、弾性部材の弾性力が相殺されて中間に位置するトレイが浮遊してしまうような特性を持っているものである。
【００７０】
したがって、トレイ２０Ｂに設けられた突片２６もカム溝５４に係合している状態で下に押し下げられる力、上に押し上げる力がそれぞれ作用するため、この突片２６とカム溝５４のテーパとが接触する状態となり、突片２６およびトレイ２０Ｂの位置が規定される。すなわち、トレイ２０Ｂの上下側にあるスプリング４０がトレイ２０Ｂに弾性力を作用させてトレイ２０Ｂに設けられた突片２６をカム溝５４のテーパ部分に押し付けるようにしているので、トレイ２０Ｂ位置が規定されることとなる。したがって、この状態において、外部からディスクチェンジャー装置１０に振動が加わったり、あるいはディスクチェンジャー装置１０の内部でなんらかの振動が発生したとしても、トレイ２０Ｂの下面側に設けられたスプリング４０がその振動を吸収する緩衝作用がはたらき、トレイ間の衝突音を防止することができる、また、トレイ２０Ｂとたとえばカムギヤ５０などのトレイ２０Ｂの周辺部品との衝突音も防止することができる。
【００７１】
さらに、上から３番目のトレイ２０Ｃが、待機位置Ｔ１で待機している場合、この場合、１番上のトレイ２０Ａと２番目のトレイ２０Ｂとが必ず待機位置Ｔ１で待機していることになり、上述した「待機位置Ｔ１で待機しているトレイが１番上のトレイ２０Ａおよび２番目のトレイ２０Ｂのみではなく、他のトレイ２０もこの位置で待機している場合」の一例にあたる。この場合、スプリング群ａおよびスプリング群ｃのスプリング４０のうちトレイ２０Ｃの下面側に設けられたスプリング４０Ｃａ、４０Ｃｃが第１のスプリングとして機能することによって上に押し上げられる力が作用する。しかしながら、３番目のトレイ２０Ｃは、筐体１３の天面と１番上のトレイ２０Ａと２番目のトレイ２０Ｂとによって上方への移動を規制されている。より詳細には、一番上のトレイ２０Ａのスペーサ部２８と２番目のトレイ２０Ｂのスペーサ部２８とが３番目のトレイ２０Ｃの上方にスプリング４０を介して積み重なって筐体１３の天面によって上方向への移動を規制されている。また、トレイ２０Ｃは、スプリング群ｂおよびスプリング群ｄのスプリング４０のうちトレイ２０Ｃの上面側に設けられたスプリング４０Ｂｂ、４０Ｂｄが第２のスプリングとして機能することによって押下げられる力が作用する。しかしながら、トレイ２０Ｃに設けられた突片２６とカムギヤ５０のカム溝５４とが係合し始める位置よりも下に移動することがない。すなわち、トレイ２０Ｃに対しては、トレイ２０Ｃの下側にあるスプリング４０Ｃａ、４０Ｃｃがトレイ２０Ｃに弾性力を作用させてトレイ２０Ｃを上方向の移動が規制されているトレイ２０Ａ、トレイ２０Ｂに押し付けるようにしており、さらに、トレイ２０Ｃの上側にあるスプリング４０Ｂｂ、４０Ｂｄの弾性力によってトレイ２０Ｃに設けられた突片２６ｂ、２６ｄをカム溝５４ｂ、５４ｄのテーパ部分に押し付けるようにしているので、トレイ２０Ｃの位置が規定されることとなる。
【００７２】
したがって、トレイ２０Ｃが待機位置Ｔ１で待機している状態にあっても、スプリング４０を介してその上下位置が規定されることとなるので、外部からディスクチェンジャー装置１０に振動が加わったり、あるいはディスクチェンジャー装置１０の内部でなんらかの振動が発生したとしても、スプリング４０がその振動を吸収して緩衝作用がはたらき、トレイ間の衝突音を防止することができ、また、トレイ２０Ｃとトレイ２０Ｃの周辺部品との衝突音も防止することができる。
【００７３】
また、３番目のトレイ２０Ｃが待機位置Ｔ１よりも下に位置する場合、すなわち、３番目のトレイ２０Ｃに設けられた突片２６がカムギヤ５０のカム溝５４と係合し始めた位置より下に位置する状態では、トレイ２０Ｃの下面側に設けられたスプリング群ａおよびスプリング群ｃのスプリング４０Ｃａ、４０Ｃｃによってトレイ２０Ｃが上に押し上げられる力が作用する。その際、トレイ２０Ｃに設けられた突片２６ａ、２６ｃもカム溝５４ａ、５４ｃに係合している状態で上に押し上げられる力が作用するため、この突片２６ａ、２６ｃとカム溝５４ａ、５４ｃのテーパとが接触する状態となり、トレイ２０Ｃの突片２６およびトレイ２０Ｃの位置が規定される。なおかつ、この状態ではトレイ２０Ｃの上面側に設けられたスプリング群ｂおよびスプリング群ｄのスプリング４０によってトレイ２０Ｃが下に押下げられる力が作用する。その際、トレイ２０Ｃに設けられた突片２６ｂ、２６ｄもカム溝５４ｂ、５４ｄに係合している状態で下に押下げられる力が作用するため、この突片２６ｂ、２６ｄとカム溝５４ｂ、５４ｄのテーパとが接触する状態となり、トレイ２０Ｃの突片２６およびトレイ２０Ｃの位置が規定される。
【００７４】
換言すれば、トレイ２０Ｃの下側にあるスプリング群ａおよびスプリング群ｃのスプリング４０Ｃａ、４０Ｃｃが第１のスプリングとしてトレイ２０Ｃに弾性力を作用させてトレイ２０Ｃに設けられた突片２６ａ、突片２６ｃをカム溝５４ａ、カム溝５４ｃのテーパ部分に押し付け、トレイ２０Ｃの上側にあるスプリング群ｂおよびスプリング群ｄのスプリングが第２のスプリングとしてトレイ２０Ｃに弾性力を作用させてトレイ２０Ｃに設けられた突片２６ｂ、突片２６ｄをカム溝５４ｂ、カム溝５４ｄのテーパ部分に押し付けるようにしているので、この状態において、外部からディスクチェンジャー装置１０に振動が加わったり、あるいはディスクチェンジャー装置１０の内部でなんらかの振動が発生したとしても、トレイ２０Ｃとトレイ２０Ｂとが衝突することによる衝突音、すなわち、トレイ間の衝突音を防止することができ、また、トレイ２０Ｃとたとえばカムギヤ５０などのトレイ２０Ｃの周辺部品との衝突音も防止することができる。
【００７５】
上から４番目のトレイ２０Ｄ、上から５番目のトレイ２０Ｅ、上から６番目のトレイ２０Ｆについても、同様にスプリング４０が作用するので、外部から振動が加わったとしても、トレイ２０上下面側に設けられたスプリング４０がその振動を吸収する緩衝作用がはたらき、トレイ間の衝突音を防止することができる、また、トレイ２０とたとえばカムギヤ５０などのトレイ２０の周辺部品との衝突音も防止することができる。
【００７６】
また、上から７番目、すなわち１番下のトレイ２０Ｇについては、本実施の形態において、トレイ２０Ｇの突片２６がカム溝５４のテーパ部に押し付けられるように作用してその位置を規定するようにしているが、１番上のトレイ２０Ａと同様に、１番下のトレイ２０Ｇも筐体１３の底面に接触するようにしてもよい。
【００７７】
以上説明したとおり、カムギヤ５０のカム溝５４とトレイ２０に設けられた突片２６との間には、スムーズなトレイの移動動作を行うために若干の隙間（クリアランス）を設ける必要があり、このクリアランスが存在するために振動による衝突音が発生し得るものの、上述の構成とすることで、複数のスプリング４０が作用する弾性力をお互い相殺させることなく確実に緩衝効果を得ることができる。
【００７８】
換言すると、トレイ間を弾性的に保持するスプリング４０を１段おきに設け、奇数番目のトレイ間に設けられたスプリング群ａまたはｃと、前記ディスク収納部における偶数番目の前記トレイ間に設けられたスプリング群ｂまたはｄとが、ディスク面における異なる位置に設けることにより、スプリング４０によって連結されているトレイ４０間に、常に、スプリング４０による弾性力を付勢することができる。このため、各トレイ２０の突片２６をエレベータカムギヤ５０のカム溝５４の上面あるいは下面に押し付けることができるので、突片２６の厚さよりも幅が広いカム溝５４において突片２６ががたつくのを防止することができる。これにより、各トレイ２０の振動を防止することができるようになっている。
【００７９】
また、本実施の形態において、スプリング４０が複数のトレイ２０に対して加える力の方向は垂直方向、すなわち、トレイ２０のトレイ２０の積層方向と平行である。このように、一つのトレイ２０が隣接する他のトレイ２０に対して相対的に移動する方向にスプリング４０の弾性力が作用する構成としたため、特にトレイ間の衝突音を防止するのに有効である。
【００８０】
また、本実施の形態において、スプリング４０が１つのトレイ２０に対して複数箇所に設けられている。すなわち、本実施の形態においては、４つのカムギヤ５０に設けられたカム溝５４と、トレイ２０のそれぞれに４つ設けられた突片２６とでトレイ２０を移動させているが、この場合、この４つのカムギヤ５０のそれぞれに対して衝突音を発生する可能性がある。そのため、この４つのカムギヤ５０のが設けられた４箇所に均等にスプリング４０による弾性力が作用するのが好ましい。これにより、確実にカムギヤ５０によってトレイの移動動作を行えるとともに、確実にそれぞれのカムギヤ５０に対する衝突音防止が実現できる。
【００８１】
また、本実施の形態において、スプリング４０はカムギヤ５０の周辺に設けられている。そのため、衝突音の発生源周辺にスプリング４０を設けて緩衝させることで、確実に衝突音の発生を防止することができる。
特に本実施の形態においては、スプリング４０としてカムギヤ５０を貫通させるような巻ばねを用いているため、簡単な構成で必要以上に設置場所を大きく設ける必要がないため、装置の小型化が可能となる。さらに、装置を組み立てる際も巻ばねをカムギヤ５０に挿通させるだけで済むので、装置を容易に組み立てることができる。
【００８２】
なお、各スプリング４０は、同じものを用いている。これにより、ディスクチェンジャー装置１０の製造に用いる部品の種類を１種類とすることができ、コストダウンを図ることができるとともに、これにより、ディスクチェンジャー装置１０の製造時には、スプリング４０の種類を間違えて取り付けること自体がなくなる。
また、前述した実施形態においては、スプリング４０が伸長する方向に弾性力を作用させる場合について説明したが、スプリング４０が収縮する方向に弾性力を作用させる場合も同様に適用することができる。
【産業上の利用可能性】
【００８３】
以上のように、本発明にかかるディスクチェンジャー装置は、ディスク収納部の複数枚積層されているトレイに１段おきに弾性部材を設けることにより、各トレイは上下いずれか一方のトレイと弾性部材で連結されることになり、一方向にのみ付勢されることになる。すなわち、弾性部材の弾性力により隣り合うトレイによってトレイ案内部材を挟むかあるいは押圧することになり、各トレイはトレイ案内部材によって固定されることになるので、トレイの振動を抑えることができるという効果を有し、ディスクを個別に載置可能で積層配置されたトレイを複数備えるディスク装置等として有用である。
【図面の簡単な説明】
【００８４】
【図１】本発明の実施形態にかかるディスク装置を内蔵するカーオーディオ装置の全体斜視図
【図２】本発明の実施形態にかかるディスク装置の待機時における要部平面図
【図３】本発明の実施形態にかかるディスク装置の再生時における要部平面図
【図４】本発明の実施形態にかかるディスク装置の再生時における要部断面図
【図５】奇数段のトレイを示す平面図
【図６】偶数段のトレイを示す平面図
【図７】（Ａ）はトレイの拡幅部の拡大平面図  （Ｂ）は図７（Ａ）中Ｂ−Ｂ位置の断面図  （Ｃ）は図７（Ａ）中Ｃ−Ｃ位置の断面図
【図８】（Ａ）はエレベータカムギヤの正面図  （Ｂ）はカム周面を示す展開図
【図９】本発明の実施形態にかかるディスクチェンジャー装置におけるスプリングの配置を示す斜視図
【図１０】本発明の実施形態にかかるディスクチェンジャー装置におけるスプリングの別の配置の一例を示す斜視図
【図１１】本発明の実施形態にかかるディスク装置の再生時における要部平面図
【図１２】本発明の実施形態にかかるディスク装置の再生時における要部断面図
【図１３】奇数段のトレイを示す平面図
【図１４】偶数段のトレイを示す平面図
【図１５】本発明の実施形態にかかるディスクチェンジャー装置におけるスプリングの別の配置を示す斜視図
【図１６】従来のディスクチェンジャー装置を示す斜視図
【符号の説明】
【００８５】
１０  ディスクチェンジャー装置
１２  ディスク
２０  トレイ（ディスク収納部）
４０  スプリング（弾性部材）
４０Ａ  第１のスプリング群（第１の弾性部材群）
４０Ｂ  第２のスプリング群（第２の弾性部材群）
５０  エレベータカムギヤ（トレイ案内部材）
【図１】
2008016122.tif 000003
【図２】
2008016122.tif 000004
【図３】
2008016122.tif 000005
【図４】
2008016122.tif 000006
【図５】
2008016122.tif 000007
【図６】
2008016122.tif 000008
【図７】
2008016122.tif 000009
【図８】
2008016122.tif 000010
【図９】
2008016122.tif 000011
【図１０】
2008016122.tif 000012
【図１１】
2008016122.tif 000013
【図１２】
2008016122.tif 000014
【図１３】
2008016122.tif 000015
【図１４】
2008016122.tif 000016
【図１５】
2008016122.tif 000017
【図１６】
2008016122.tif 000018